(57)【要約】【課題】スピニングリールの釣り糸案内機構において、糸絡みを防止する。【解決手段】ベールアーム３４は、第１ベール支持部材４０及び第２ベール支持部材と、第１ベール支持部材４０及び第２ベール支持部材を連結するベール４１と、第１ベール支持部材４０に先端が固定された固定軸４３と、固定軸４３に支持されたラインローラ４４と、固定軸４３を覆う固定軸カバー４６とを有している。ベール４１は、棒状に形成された棒状部４１ａと、板状に形成された板状部４１ｂとを有している。板状部４１ｂは、一端が固定軸カバー４６の釣り糸案内側及びその逆側と滑らかに連設し、他端が棒状部４１ａと滑らかに連設している。板状部４１ｂは、スリット状に開口する溝部４６ａに挿入されており、プレス加工により断面が略三角形状に形成されている。【選択図】　　　図５
2004081149.tif 000002
【特許請求の範囲】
【請求項１】
第１及び第２ロータアームの先端に糸案内姿勢と糸開放姿勢とに揺動自在に装着され、釣り糸をスプールに案内するスピニングリールの釣り糸案内機構であって、
前記第１及び第２ロータアームの先端にそれぞれ揺動自在に装着された第１及び第２ベール支持部材と、
前記第１ベール支持部材に一端が固定された固定軸と、
前記固定軸の他端に前記第１ベール支持部材と間隔を隔てて設けられ、端部がスリット状に開口する溝部を有する固定軸カバーと、
前記固定軸に回動自在に支持され、周面に前記釣り糸を案内する案内部が形成されたラインローラと、
一端部が前記第２ベール支持部材に固定され棒状に形成された棒状部と、他端部が前記固定軸カバーの前記釣り糸案内側と滑らかに連設するように前記溝部に挿入され前記棒状部と滑らかに連設するように板状に形成された板状部とを有し、前記スプールの周方向外方に湾曲して配置され前記釣り糸を前記固定軸カバーを介して前記ラインローラに導くベールと、
を備えたスピニングリールの釣り糸案内機構。
【請求項２】
前記板状部はプレス加工により形成されている、請求項１に記載のスピニングリールの釣り糸案内機構。
【請求項３】
前記板状部は断面が略三角形状に形成されている、請求項１又は２に記載のスピニングリールの釣り糸案内機構。
【請求項４】
前記板状部は中心部に切り欠き部が形成されている、請求項１から３のいずれかに記載のスピニングリールの釣り糸案内機構。
【請求項５】
前記板状部は前記固定軸カバーの前記釣り糸案内側と逆側と滑らかに連設するように前記溝部に挿入されている、請求項１から４のいずれかに記載のスピニングリールの釣り糸案内機構。
【請求項６】
前記棒状部は円柱状の中実部材である、請求項１から５のいずれかに記載のスピニングリールの釣り糸案内機構。
【請求項７】
前記棒状部は円筒状の中空部材である、請求項１から５のいずれかに記載のスピニングリールの釣り糸案内機構。
【発明の詳細な説明】
【０００１】
【発明の属する技術分野】
本発明は、釣り糸案内機構、特に、第１及び第２ロータアームの先端に糸案内姿勢と糸開放姿勢とに揺動自在に装着され釣り糸をスプールに案内するスピニングリールの釣り糸案内機構に関する。
【０００２】
【従来の技術】
スピニングリールには釣り糸をスプールに案内する釣り糸案内機構が設けられている。釣り糸案内機構は、第１及び第２ロータアームの先端に装着され、ロータとともに回転し、かつ糸開放姿勢と糸案内姿勢との間で揺動自在に設けられている。この釣り糸案内機構は、第１及び第２ベール支持部材と、第１ベール支持部材の先端に一端が固定された固定軸と、固定軸の他端に固定された固定軸カバーと、固定軸カバーに一端が取り付けられたベールと、固定軸に支持されたラインローラとを備えている。ベールの一端は固定軸カバーに挿入固定されており、固定軸カバーとベールとの連結部には段差が生成されている。ベールの他端は第２ベール支持部材の先端に取り付けられている。
【０００３】
このような釣り糸案内機構を有するスピニングリールでは、釣り糸をスプールに巻き取る際に、ベールを糸案内姿勢側に揺動させハンドルを回す。すると、釣り糸はベールに誘導されて固定軸カバーを介してラインローラの外周面に案内されて接触する。そして、釣り糸は、ラインローラに案内されて方向が変えられ、スプール外周に巻き取られる。
【０００４】
【発明が解決しようとする課題】
従来の釣り糸案内機構では、固定軸カバーとベールとの間に段差が生成されている。このため、ラインローラに案内された釣り糸が段差に引っ掛かり、釣り糸の滑らかな案内を阻害するとともに、固定軸カバーとベールとの間に釣り糸が巻きついて糸絡みが起こりやすくなる。
【０００５】
本発明の課題は、スピニングリールの釣り糸案内機構において、糸絡みを防止することにある。
【０００６】
【課題を解決するための手段】
発明１に係るスピニングリールの釣り糸案内機構は、第１及び第２ロータアームの先端に糸案内姿勢と糸開放姿勢とに揺動自在に装着され釣り糸をスプールに案内するスピニングリールの釣り糸案内機構であって、第１及び第２ロータアームの先端にそれぞれ揺動自在に装着された第１及び第２ベール支持部材と、第１ベール支持部材に一端が固定された固定軸と、固定軸の他端に第１ベール支持部材と間隔を隔てて設けられ端部がスリット状に開口する溝部を有する固定軸カバーと、固定軸に回動自在に支持され周面に釣り糸を案内する案内部が形成されたラインローラと、スプールの周方向外方に湾曲して配置され釣り糸を固定軸カバーを介してラインローラに導くベールとを備えている。ベールは、一端部が第２ベール支持部材に固定され棒状に形成された棒状部と、他端部が固定軸カバーの釣り糸案内側と滑らかに連設するように溝部に挿入され棒状部と滑らかに連設するように板状に形成された板状部とを有している。
【０００７】
この釣り糸案内機構では、ベールは滑らかに連設する棒状部及び板状部を有し、さらに板状部は固定軸カバーの釣り糸案内側と滑らかに連設している。ここでは、ベールは、固定軸カバーの釣り糸案内側と滑らかに連設するように形成されているので、固定軸カバーとベールとの間の段差がなく、固定軸カバーとベールとの間に釣り糸が引っ掛かりにくくなる。さらに、棒状部と板状部とは滑らかに連設するように形成されているので、棒状部と板状部との間にも段差がなく、糸絡みを防止することができる。
【０００８】
発明２に係る釣り糸案内機構は、発明１の釣り糸案内機構において、板状部はプレス加工により形成されている。この場合、板状部をプレス加工することにより、形成が容易になる。
発明３に係る釣り糸案内機構は、発明１又は２の釣り糸案内機構において、板状部は断面が略三角形状に形成されている。この場合、棒状部と板状部とをより滑らかに連設できる。
【０００９】
発明４に係る釣り糸案内機構は、発明１から３のいずれかの釣り糸案内機構において、板状部は中心部に切り欠き部が形成されている。この場合、ベールの軽量化を図ることができる。
発明５に係る釣り糸案内機構は、発明１から４のいずれかの釣り糸案内機構において、板状部は固定軸カバーの釣り糸案内側と逆側と滑らかに連設するように溝部に挿入されている。この場合、板状部を固定軸カバーの釣り糸案内側と逆側と滑らかに連設させることにより、意匠性を向上できる。
【００１０】
発明６に係る釣り糸案内機構は、発明１から５のいずれかの釣り糸案内機構において、棒状部は円柱状の中実部材である。この場合、ベールの強度を高く維持できる。
発明７に係る釣り糸案内機構は、発明１から５のいずれかの釣り糸案内機構において、棒状部は円筒状の中空部材である。この場合、ベールを軽量化できる。
【００１１】
【発明の実施の形態】
本発明の一実施形態を採用したスピニングリールは、図１及び図２に示すように、ハンドル１と、ハンドル１を回転自在に支持するリール本体２と、ロータ３と、スプール４とを主に備えている。ロータ３はリール本体２の前部に回転自在に支持されている。スプール４は、釣り糸を外周面に巻き取るものであり、ロータ３の前部に前後移動自在に配置されている。
【００１２】
ハンドル１は、Ｔ字状の把手部１ａと、先端に把手部１ａが回転自在に装着されたＬ字状のクランクアーム１ｂとを有している。
リール本体２は、図１及び図２に示すように、側部に開口を有するリールボディ２ａと、リールボディ２ａから斜め上前方に一体で延びるＴ字状の竿取付脚２ｂとを有している。リールボディ２ａは、図２に示すように、内部に機構装着用の空間を有しており、その空間内には、ロータ３をハンドル１の回転に連動して回転させるロータ駆動機構５と、スプール４を前後移動させて釣り糸を均一に巻き取るためのオシレーティング機構６とが設けられている。
【００１３】
スプール４は、図１及び図２に示すように、後述するロータ３の第１ロータアーム３１及び第２ロータアーム３２の間に配置されており、このスプール４の中心部がスプール軸１５の先端部にドラグ機構６０（図２参照）を介して連結されている。
ロータ駆動機構５は、図２に示すように、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は軸受を介してリール本体２に回転自在に支持されている。ハンドル軸１０の両端にはねじ方向及び径が異なる雌ねじ部がそれぞれ形成されており、両雌ねじ部にハンドル１が回転不能に装着可能である。
【００１４】
ピニオンギア１２は筒状に形成されており、ピニオンギア１２の前部はロータ３の中心部を貫通しており、ナット３３によりロータ３と固定されている。そして、ピニオンギア１２の軸方向の中間部と後端部とが、それぞれ軸受を介してリール本体２に回転自在に支持されている。
オシレーティング機構６はスプール４を前後方向に移動させるための機構である。オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００１５】
ロータ３は、図２に示すように、ピニオンギア１２に固定された円筒部３０と、円筒部３０の側方に互いに対向して設けられた第１ロータアーム３１及び第２ロータアーム３２と、釣り糸をスプール４に案内するための釣り糸案内機構としてのベールアーム３４とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。
【００１６】
ベールアーム３４は、第１ロータアーム３１及び第２ロータアーム３２の先端に、糸案内姿勢と糸開放姿勢との間で揺動自在に装着されている。ベールアーム３４は、第１ロータアーム３１及び第２ロータアーム３２の先端にそれぞれ揺動自在に装着された第１ベール支持部材４０及び第２ベール支持部材４２を有している。第１ベール支持部材４０は第１ロータアーム３１の外側に揺動自在に装着され、第２ベール支持部材４２は第２ロータアーム３２の内側に揺動自在に装着されている。ベールアーム３４は、図３から図６に示すように、第１ベール支持部材４０及び第２ベール支持部材４２を連結するベール４１と、第１ベール支持部材４０に先端が固定された固定軸４３（図５及び図６参照）と、固定軸４３に支持されたラインローラ４４と、固定軸４３を覆う固定軸カバー４６とをさらに有している。
【００１７】
第１ベール支持部材４０は、図４から図６に示すように、第１ロータアーム３１に揺動自在に装着されたアーム部４０ａと、アーム部４０ａの先端に一体成形されたリング状の装着部４０ｂとを有している。装着部４０ｂには段付きの貫通孔４０ｃ（図５及び図６参照）が形成されており、貫通孔４０ｃには固定軸４３を第１ベール支持部材４０に固定するための固定ボルト５２が貫通している。
【００１８】
ベール４１は、図３に示すように、第２ベール支持部材４２及び固定軸カバー４６に両端が固定された棒状のステンレス合金製部材であり、スプール４の周方向外方に凸に湾曲して配置されている。ベール４１は、ベールアーム３４が糸開放姿勢から糸案内姿勢に復帰したときに釣り糸を固定軸カバー４６を介してラインローラ４４に導くためのものである。
【００１９】
ベール４１は、図４から図６に示すように、棒状に形成された棒状部４１ａと、板状に形成された板状部４１ｂとを有している。板状部４１ｂは、一端が固定軸カバー４６の釣り糸案内側及びその逆側と滑らかに連設し、他端が棒状部４１ａと滑らかに連設している。棒状部４１ａは円柱状の中実部材である。板状部４１ｂは、図５に示すように、プレス加工により、断面が略三角形状に形成されている。また、板状部４１ｂには、図５及び図６に示すように、中心部に切り欠き部４１ｃが形成されている。
【００２０】
固定軸４３は、図５及び図６に示すように、固定軸カバー４６と一体で切削加工により形成された部材である。固定軸４３は、固定軸カバー４６と一体の基端から第１ベール支持部材４０に向かって延びており、先端が固定ボルト５２により固定されている。
ラインローラ４４は、図５及び図６に示すように、外周面に釣り糸を案内する溝が形成された筒状の案内部４４ａと、案内部４４ａの内周側に軸方向に間隔を隔てて配置された２つの転がり軸受４４ｂ、４４ｃとを有している。案内部４４ａは、この２つの軸受４４ｂ、４４ｃを介して固定軸４３に回動自在に支持されている。
【００２１】
固定軸カバー４６は、図５及び図６に示すように、固定軸４３の基端に第１ベール支持部材４０の装着部４０ｂと間隔を隔てて設けられている。固定軸カバー４６は、端部がスリット状に開口する溝部４６ａを有する略円錐台形状のアルミニウム合金製の部材である。固定軸カバー４６の溝部４６ａには、固定軸カバー４６の釣り糸案内側及びその逆側と滑らかに連設するようにベール４１の板状部４１ｂが挿入されている。板状部４１ｂは、先端部が固定軸カバー４６の溝部４６ａの端部と間隔をあけて挿入され、かしめピン４６ｂによって固定されている。かしめピン４６ｂは、固定軸カバー４６及び板状部４１ｂを貫通しており、その両端部がかしめられている。
【００２２】
次に、リールの操作及び動作について詳細に説明する。
キャスティング時には、ロータ３を逆転禁止状態にして、手でベールアーム３４を持ってベールアーム３４を糸開放姿勢に反転させる。ベールアーム３４が糸開放姿勢に倒れた状態では、スプール４からの釣り糸を容易に繰り出すことが可能である。
【００２３】
キャスティング後に、ベールアーム３４を糸開放姿勢に維持したままの状態で、ハンドル１を糸巻き取り方向に回転させると、ロータ駆動機構５によりロータ３が糸巻き取り方向に回転する。ロータ３が糸巻き取り方向に回転すると、ベールアーム３４が糸巻き取り姿勢に復帰する。このとき、さらにハンドル１を糸巻き取り方向に回転させると、釣り糸はベール４１から固定軸カバー４６を介してラインローラ４４に導出され、スプール４に巻き取られる。
【００２４】
このスピニングリールでは、ベール４１は、棒状に形成された棒状部４１ａと、固定軸カバー４６の溝部４６ａに挿入され棒状部４１ａと滑らかに連設するように板状に形成された板状部４１ｂとを有している。ここでは、ベール４１は、固定軸カバー４６の釣り糸案内側と滑らかに連設するように形成されているので、固定軸カバー４６とベール４１との間の段差がなく、固定軸カバー４６とベール４１との間に釣り糸が引っ掛かりにくくなる。さらに、棒状部４１ａと板状部４１ｂとは滑らかに連設するように形成されているので、棒状部４１ａと板状部４１ｂとの間にも段差がなく、糸絡みを防止することができる。
【００２５】
〔他の実施形態〕
（ａ）　前記実施形態では、フロントドラグ型のスピニングリールを例に説明したが、リアドラグ型のスピニングリールやドラグを有さないスピニングリールやレバードラグ型のスピニングリール等の任意のスピニングリールに本発明を適用できる。
【００２６】
（ｂ）　前記実施形態では、固定軸４３と固定軸カバー４６とは一体成形されていたが、固定軸４３と固定軸カバー４６とを別体で形成してもよい。
（ｃ）　前記実施形態では、棒状部４１ａは円柱状の中実部材であったが、これに限定されるものではなく、円筒状の中空部材であってもよい。この場合、ベール４１を軽量化できる。
【００２７】
（ｄ）　前記実施形態では、板状部４１ｂは、断面が略三角形状に形成されていたが、これに限定されるものではなく、固定軸カバー４６の釣り糸案内側及び棒状部４１ａとそれぞれ滑らかに連設するように形成さていれば、任意の形状に形成できる。また、板状部４１ｂは、中心部に切り欠き部４１ｃが形成されていたが、切り欠き部４１ｃを設けない構成にしてもよい。
【００２８】
【発明の効果】
本発明によれば、スピニングリールの釣り糸案内機構において、ベールは、固定軸カバーの釣り糸案内側と滑らかに連設するように形成され、かつ棒状部と板状部とが滑らかに連設するように形成されているので、糸絡みを防止することができる。
【図面の簡単な説明】
【図１】本発明の一実施形態を採用したスピニングリールの右側面図。
【図２】前記スピニングリールの左側面断面図。
【図３】前記スピニングリールの正面図。
【図４】ベールアームの要部斜視図。
【図５】ベールアームの要部断面図。
【図６】ベールアームの断面図。
【符号の説明】
４　スプール
３１　第１ロータアーム
３２　第２ロータアーム
３４　ベールアーム
４０　第１ベール支持部材
４２　第２ベール支持部材
４１　ベール
４１ａ　棒状部
４１ｂ　板状部
４１ｃ　切り欠き部
４３　固定軸
４４　ラインローラ
４６　固定軸カバー
４６ａ　溝部
【図１】
2004081149.tif 000003
【図２】
2004081149.tif 000004
【図３】
2004081149.tif 000005
【図４】
2004081149.tif 000006
【図５】
2004081149.tif 000007
【図６】
2004081149.tif 000008